(57)【特許請求の範囲】
【請求項１】
食品や食材の運搬に用いられるコンテナ本体としての外箱内で積み重ね使用される平面長方形の合成樹脂製のトレーであって、前記トレーの底面における四隅部のそれぞれにおいて、隣接する縦横両側壁に沿って二つ一組で突出したスタック用の突起が設けられ、前記二つ一組の突起は、先端部が半球形状をなしており、トレーを積み重ねたときに下層トレーの対応する縦横両側壁の内面に接するように沿って下層トレーの開口部内側に嵌り込むことを特徴とするコンテナ内部用トレー。
【請求項２】
前記突起が、底面に対し垂直の基部側面に連続して先端部が半球形状をなすように形成されてなる請求項１に記載のコンテナ内部用トレー。
【請求項３】
一方の相対向する両辺の側壁上端に、前記外箱の内壁面に当接可能なフランジが突設され、該フランジの一部に手掛け用の切欠が設けられてなる請求項１又は２に記載のコンテナ内部用トレー。
【請求項４】
少なくとも一方の相対向する側壁外面に、下端が前記底面と同一面をなす縦リブが突設されてなる請求項１〜３のいずれか１項に記載のコンテナ内部用トレー。
【発明の詳細な説明】
【技術分野】
【０００１】
本発明は、食品や食材の運搬に用いるコンテナにおいて、外箱と組み合わせて使用されるコンテナ内部用トレーに関するものである。
【背景技術】
【０００２】
従来より、例えば、太巻き寿司やいなり寿司等の寿司類その他の各種の料理済みの食品、あるいは料理に使う食材等の運搬に用いるコンテナとして、コンテナ本体としての外箱と、該外箱内で積み重ね使用される内容器としてのトレーとを組み合せたコンテナが知られている。かかるコンテナは、通い箱として繰り返し使用される。
【０００３】
前記のコンテナの内容器としてのトレーは、合成樹脂成形体により形成されてなるもので、トレーの底面（底部下面）の四隅部の近傍には、積み重ね時に下層トレーの開口部内側に嵌まり込むスタック用の突起が設けられており、該突起が下層トレーの開口部内側に嵌り込むことで、位置ずれなく積み重ね使用できるようになっている。例えば、特許文献１には、合成樹脂発泡体よりなるトレーの底面にスタック用の突部を設けたものが示されている。
【０００４】
かかる内容器としてのトレーにおいて、底面の四隅部に設けられているスタック用の突起は、角形やＬ字形をなす形状が一般的である。特に、非発泡の合成樹脂により成形されるトレーの場合には、底面の四隅部に設けられているスタック用の突起は、四隅部において隣接する縦横両側壁に沿って嵌まり込むＬ字形をなすものが多い。
【０００５】
このような形状の凸部は、側面と底面との境界部分に汚れや水が溜まりやすく、洗浄しても汚れが残りやすい。特に、Ｌ字形の突起の場合、洗浄の際にＬ字形内側の隅角部分が死角になって汚れを落とし難い。そのため、前記コンテナ内部用トレーの繰り返し使用のための洗浄に手数がかかるものとなっている。
【０００６】
従って、この種のコンテナ内部用のトレーの前記スタック用の突起は、積み重ね時の位置決め及びずれ防止効果を発揮できて、しかも汚れが付きにくく、かつ付いた汚れを落とし易いことが望まれる。
【特許文献１】実開平７−３７９７３号公報
【発明の開示】
【発明が解決しようとする課題】
【０００７】
本発明は、上記の問題を解決するためになしたものであり、コンテナ本体としての外箱内で積み重ね使用するコンテナ内部用のトレーとして、積み重ねのためのスタック用の突起を、簡易な形態でありながら積み重ね時の位置決め、及び位置ずれ防止に効果があって、しかも洗浄の際に水や汚れが溜まり難くて、かつ水や汚れを落とし易く、繰り返し使用のための洗浄を容易に行えるようにしたものである。
【課題を解決するための手段】
【０００８】
上記の課題を解決する本発明は、食品や食材の運搬に用いられるコンテナ本体としての外箱内で積み重ね使用される平面長方形の合成樹脂製のトレーであって、前記トレーの底面における四隅部のそれぞれにおいて、隣接する縦横両側壁に沿って二つ一組で突出したスタック用の突起が設けられ、前記二つ一組の突起は、先端部が半球形状をなしており、トレーを積み重ねたときに下層トレーの対応する縦横両側壁の内面に接するように沿って下層トレーの開口部内側に嵌り込むことを特徴とする。
【０００９】
前記構成のンテナ内部用のトレーは、食品等の内容物を収納した状態でコンテナ本体としての外箱内で積み重ね使用する際、底面の四隅部に設けたスタック用の突起が、先端部が半球形状をなしているために、下層トレーの開口部内側に嵌り込ませ易く、しかも嵌り込んだ状態においては下層トレーの隣接する縦横両側壁に沿うことになるため、縦横のずれ動きを防止でき、所定の位置で安定性よく積み重ねることができる。
【００１０】
しかも、前記突起は半球形状をなして突出しているために、角形やＬ字形の突起とは違い、洗浄の際に水や汚れが溜まり難く、汚れがつきにくい上に、仮に汚れがついた場合にもその汚れを容易に落とすことができる。すなわち、繰り返し使用のための洗浄を容易に行え、衛生的に使用できる。
【００１１】
また、前記のように、スタック用の突起は、前記底面における四隅部のそれぞれにおいて隣接する縦横両側壁に沿って二つ一組で設けられており、積み重ね時に二つの突起が下層トレーの対応する側壁の内面に接するように沿って下層トレーに嵌り込むことで、前記縦横の位置ずれを確実に防止できる。
【００１２】
また、前記突起が、底面に対し垂直の基部側面に連続して端部が半球形状をなすように形成されてなるものの場合、積み重ね状態において隣接する縦横両側壁に沿って開口部内側に嵌まり込んでいる突起が、前記垂直の基部側面で側壁に当接するため、上層のトレーに横方向の力がかかっても、前記突起が側壁上端に乗り上げて位置ずれする虞がなく、安定した積み重ね状態を保持できる。
【００１３】
前記のトレーにおいて、一方の相対向する両辺の側壁上端に、前記外箱の内壁面に当接可能なフランジが突設され、該フランジの一部に手掛け用の切欠が設けられてなるものが好ましい。この場合、外箱内でのトレーの積み重ね使用において、前記フランジが外箱の内壁面に当接することで、外箱内での前記トレーの過度の揺れ動きを規制できね安定性のよい積み重ね状態を保持できる。しかも、前記のようにフランジと内壁面との間が狭くても、前記切欠の部分で手をかけてトレーを持って、外箱内でのトレーの積み重ね操作、及び積み重ねられたトレーの取り出し操作を難なく行うことができる。
【００１４】
また、前記のトレーにおいて、少なくとも一方の相対向する側壁外面に、下端が前記底面と同一面をなす縦リブが突設されてなるものの場合、該縦リブにより積み重ね強度を確保できる上、仮に上層のトレーが横に動いて底面の端縁が下層トレーの側壁上端から外れても、前記縦リブの下端が下層トレーの側壁上端に載設していることで、積み重ね状態をそのまま保持でき、積み重ねたトレーが傾いたり倒れたりすることがない。
【発明の効果】
【００１５】
本発明のコンテナ内部用トレーによれば、積み重ねのためのスタック用の突起が半球形状をなして突出しているために、洗浄の際に水や汚れが溜まりにくく、汚れが付きにくく、しかも仮に汚れがついてもねその汚れを容易に落とすことができるため、繰り返し使用のための洗浄が容易になり、衛生的に使用できる。
【００１６】
特に、前記突起が底面に対し垂直の基部側面に連続して端部が半球形状をなしている場合、トレーの積み重ね時には前記突起の前記基部側面が下層トレーの側壁内側に沿って嵌り込むことで、横方向のずれ防止の効果が確実になされ、半球形状をなして突出しているものでも安定性のよい積み重ね状態を保持できる。
【発明を実施するための最良の形態】
【００１７】
次に本発明の実施の形態を図面に示す実施例に基づいて説明する。
【００１８】
図１は本発明にかかるコンテナ内部用トレーとコンテナ本体としての外箱とを示す斜視図、図２〜図５はそれぞれコンテナ内部用トレーの平面図、底面図、正面図及び側面図であり、図６はトレー底面側の部分拡大斜視図、図７は突起の拡大図、図８は同トレーの断面図、図９はコンテナ本体としての外箱にトレーを収納して積み重ねた状態の断面図、図１０は同一部の拡大図である。
【００１９】
図において、１０は本発明にかかる合成樹脂の成形体よりなるコンテナ内部用トレー、２０はコンテナ本体としての外箱（蓋は省略）を示している。
【００２０】
本発明のコンテナ内部用トレー１０は、底部１１と、その四周に連設された側壁、すなわち前後及び左右の各側壁１２，１２及び１３，１３とにより、前記外箱２０の内部形態に対応した平面長方形をなして上方に開口する容器の形態をなすように形成されており、該外箱２０内において複数段に積み重ね使用できるように形成されている。すなわち、前記各側壁１２，１２及び１３，１３との上端における開口部内側寸法が、前記側壁下端の外側寸法、つまり底部１１の外側寸法より僅かに小さく形成され、積み重ねの際に、前記底部１１の下面である底面１１ａの周縁が前記側壁１２，１２及び１３，１３との上端、つまり開口部に載接するように形成されている。通常、前記各側壁１２，１２及び１３，１３とには僅かに成形上の抜き勾配がつけられているが、この抜き勾配が各側壁の肉厚の範囲内（好ましくは肉厚の１／２程度）とされて、前記のように積み重ね可能に形成される。
【００２１】
本発明のトレー１０の場合、前記の積み重ねの際の位置決めやずれ防止のために、前記底面１１ａの四隅部には、それぞれ平面円形で先端部が半球形状をなして下方向きに突出するスタック用の突起１５が設けられており、該突起１５が、前記トレー１０の積み重ね時に下層トレー１０の開口部内側に対し該隅角部を境に隣接する縦横両側壁１３と１２に沿ってそれぞれ図９及び図１０のように接した状態で嵌り込むように、前記底面１１ａの周縁におけるやや内側に設けられている。
【００２２】
本発明の場合、前記突起１５は、前記底面１１ａにおける四隅部のそれぞれに、隣接する縦横両側壁１３，１２に沿って二つ一組で設けられており、積み重ね時に四隅部のそれぞれにおいて各二つ一組の突起１５，１５が下層トレー１０の対応する縦横両側壁１３，１２の内面に接するように沿って下層トレー１０の開口部内側に嵌り込むように設けられている。
【００２３】
前記のように、四隅部それぞれのストック用の突起１５は、位置ずれ防止の効果、テーブル上に載置した場合の安定性等の点から、図示するように二つ一組で設けておくものとする。また、突起の数が多くなるほど、洗浄の際に汚れを落とし難くなるので、図示するように二つ一組で設けておくのが好ましい。
【００２４】
いずれにしても、前記突起１５は、底面１１ａに対し垂直の基部側面１５ａに連続して先端部が半球形状をなすように形成され、トレー１０の積み重ね状態において前記基部側面１５ａが下層トレー１０の縦横両側壁１３と１２に対し接して横向きに係合するように形成される。これにより、積み重ねられたトレー１０の位置ずれ防止の効果を高め、安定した積み重ね状態を保持できる。
【００２５】
前突起１５の大きさは、例えば、直径４〜１０ｍｍ、高さ３〜１０ｍｍの範囲が一般的ではあるが、もちろん前記範囲外の寸法とすることもでき、トレーの大きさや内容物に応じて適宜設定できる。
【００２６】
図示する実施例のトレー１０は、前記一方の相対向する両辺の側壁、例えば左右の側壁１３，１２の上端に、外方に突出するフランジ１６、１６がそれぞれ突設され、外箱２０内で積み重ね使用する際に該外箱２０の内壁面２１に当接するか、または僅かな隙間を存するように形成され、これにより外箱２０内での遊動を規制できるようになっている。１７，１７は前記フランジ１６、１６に形成された手掛け用の切欠であり、該切欠１７，１７の部分でトレー１０を持上げて外箱２０内に収納して積み重ねたり、外箱２０内から取り出したりすることができるようになっている。他方の相対向する側壁１３，１２の上端にも僅かに外方に張り出した突縁１８，１８が設けられている。
【００２７】
１９，１９は、少なくとも一方の相対向する側壁、例えば左右の側壁１３，１３の外面に形成された縦リブであり、この縦リブ１９，１９は、下端が前記底面１１ａと同一面をなすように形成されており、該縦リブ１９，１９により積み重ね強度を確保するとともに、積み重ね時に上層のトレー１０が横にずれて底面１１ａが下層トレー１０の側壁１３の上端から外れた場合にも、前記縦リブ１９の下端が下層トレー１０の側壁１３の上端に載接していることで、積み重ね状態をそのまま保持できるように設けられている。
【００２８】
なお、図示するトレー１０の場合、前記底部１１については、中央部が周辺部より僅かに、例えば１〜２ｍｍ程度上方に膨んだ上反り形状をなすように形成されており、底面に補強リブ等が形成されていなくても、内容物の荷重による底部１１の下方への過度の撓み変形を規制できるようになっている。
【００２９】
上記のトレー１０は、ＡＢＳ樹脂その他の食品収納用に一般に使用される各種の合成樹脂を使用でき、通常、非発泡の前記樹脂により射出成形により一体に成形される。このトレー１０の大きさや深さは、収納対象の食品等に応じて設定され、例えば、太巻き寿司を収納する場合は、一般的な太巻き寿司を収納できるように設定される。また、前記トレー１０の厚みは、通常１〜３ｍｍ、好ましく２ｍｍ程度に設定されるが、収納する内容物やトレーの大きさによっては前記範囲外のものを用いることもできる。
【００３０】
なお、上記のトレー１０と組み合わせて使用するコンテナの外箱２０としては、前記トレー１０を横への遊動や揺動を殆ど生じさせずに収納できて、かつ複数段（好ましく３，４段）に積み重ねることができるものよりなる。この外箱２０としては、保温保冷状態での運搬に使用する断熱コンテナの場合には、図のように、非発泡の合成樹脂よりなる内装体２２と外装体２３との間に、発泡樹脂よりなる芯材２４を断熱層として介装したものよりなる。この場合、図示していない蓋体も前記と同様に構成されたものが用いられる。もちろん、合成樹脂発泡体の単独成形体の容器を用いることもできる。また、保温保冷を要しないコンテナの場合は、非発泡の合成樹脂により成形した外箱を用いることもできる。
【００３１】
上記した構成よりなる本発明のコンテナ内部用トレー１０は、食品等の内容物を収納した状態でコンテナ本体としての外箱２０内に収納して図６のように積み重ね使用する。
【００３２】
この際、トレー１０の底面１１ａの四隅部に設けたスタック用の突起１５は、先端部が半球形状をなして突出した形状をなしているために、下層トレー１０の開口部内側に嵌り込ませ易く、しかも嵌り込んだ状態においては、下層トレー１０の隣接する縦横両側壁１３，１２の内面に接するように前記突起１５が沿い、特には突起１５の基部側面１５ａが底面１１ａに対し垂直をなす場合、該基部側面１５ａが前記両側壁１３，１２の内面に接するように沿うことになるため、トレー１０の前後左右の横方向のずれ動きを防止でき、所定の位置で安定性よく積み重ねることができる。また、図のように、一方の相対向する側壁１３，１３の上端に設けられたフランジ１６，１６が外箱２０の内壁面２１に当接するか、または僅かな隙間を存する状態であると、外箱２０内での前記トレー１０の過度の揺れ動きを規制できることになり、一層安定性のよい積み重ね状態を保持できる。
【００３３】
しかも、前記突起１５は半球形状をなして突出しているために、角形やＬ字形の突起とは違い、洗浄の際に水や汚れが溜まり難く、汚れがつきにくい上に、仮に汚れがついた場合にも、その汚れを容易に落とすことができる。すなわち、繰り返し使用のための洗浄を容易に行え、衛生的に使用できる。
【産業上の利用可能性】
【００３４】
本発明は、主として食品や食材の運搬に用いるコンテナ、特に外箱内で複数段に積み重ね使用するトレーを組み合わせてなるコンテナにおいて好適に利用できる。
【図面の簡単な説明】
【００３５】
【図１】本発明にかかるコンテナ内部用トレーとコンテナ本体としての外箱とを示す斜視図である。
【図２】コンテナ内部用のトレーの平面図である。
【図３】コンテナ内部用のトレーの底面図である。
【図４】コンテナ内部用のトレーの正面図である。
【図５】コンテナ内部用のトレーの側面図である。
【図６】トレー底面側の部分拡大斜視図である。
【図７】突起の拡大図である。
【図８】同トレーの断面図である。
【図９】コンテナ本体としての外箱にトレーを収納して積み重ねた状態の断面図である。
【図１０】同一部の拡大図である。
【符号の説明】
【００３６】
１０…トレー、１１…底部、１１ａ…底面、１２，１３…前後左右の側壁、１５…スタック用の突起、１６…フランジ、１７…切欠、１８…突縁、１９…縦リブ、外箱…２０、２１…内壁面、２２…内装体、２３…外装体、２４…発泡樹脂よりなる芯材。
【図１】
0004787015.tif 000002
【図２】
0004787015.tif 000003
【図３】
0004787015.tif 000004
【図４】
0004787015.tif 000005
【図５】
0004787015.tif 000006
【図６】
0004787015.tif 000007
【図７】
0004787015.tif 000008
【図８】
0004787015.tif 000009
【図９】
0004787015.tif 000010
【図１０】
0004787015.tif 000011